(57)【要約】      （修正有）【課題】本発明は、ラインの描写性に優れた漬けペン型アイライナを提供する。【解決手段】有底筒状の本体筒部３の開口側に設けたテーパ筒部４と、テーパ筒部４から突設したネジ筒部５とを有し、ネジ筒部５及びテーパ筒部４の内部をペン先挿入孔６としネジ筒部５の外周に雄ネジ部７を設けた容器本体２と、この容器本体２に収容した水、皮膜剤、分散剤等を含み、バルク粘度が６０以下、好ましくは３０以下である化粧料２０と、一端側に容器本体２の雄ネジ部７に螺合し締め付け状態で容器本体２内を機密とする雌ネジ部１４を内周に設けた操作体円筒部１１を備え、この操作体円筒部１１からペン先挿入孔６内に挿入可能なフェルトペン等からなり、化粧料２０を含浸させるペン先１３を有する漬けペン部１２を突出させ、他端側を外径が操作体円筒部１１から末端に至るに従いテーパ状に漸減する丸棒形状の把持部１５としたアイライナ操作体１０とを有するものである。【選択図】図２
2006325977.tif 000002
【特許請求の範囲】
【請求項１】
有底筒状で開口側に設けたネジ筒部の外周に受ネジ部を有する容器本体と、
この容器本体に収容した水、皮膜剤、分散剤、防腐剤、ＰＨ調整剤、カーボンブラックを含み、バルク粘度が６０以下である化粧料と、
一端側に前記容器本体の受ネジ部に螺合し締め付け状態で容器本体内を機密とするネジ部を設けた操作体筒部を備え、この操作体筒部から容器本体内に挿入可能な化粧料を含浸させる漬けペン部を突出させるとともに、他端側を把持部としたアイライナ操作体と、
を有することを特徴とする漬けペン型アイライナ。
【請求項２】
有底筒状の本体筒部と、この本体筒部の開口側に設けたテーパ筒部と、テーパ筒部から突設したネジ筒部とを有し、ネジ筒部及びテーパ筒部の内部をペン先挿入孔としネジ筒部の外周に受ネジ部を設けた容器本体と、
この容器本体に収容した水、皮膜剤、分散剤、防腐剤、ＰＨ調整剤、カーボンブラックを含み、バルク粘度が６０以下である化粧料と、
一端側に前記容器本体の受ネジ部に螺合し締め付け状態で容器本体内を機密とするネジ部を内周に設けた操作体筒部を備え、前記操作体筒部から前記ペン先挿入孔内に挿入可能な化粧料を含浸させる漬けペン部を突出させるとともに、他端側を把持部としたアイライナ操作体と、
を有することを特徴とする漬けペン型アイライナ。
【請求項３】
有底筒状の本体筒部と、この本体筒部の開口側に設けたテーパ筒部と、テーパ筒部から突設したネジ筒部とを有し、ネジ筒部及びテーパ筒部の内部をペン先挿入孔としネジ筒部の外周に雄ネジ部を設けた容器本体と、
この容器本体に収容した水、皮膜剤、分散剤、防腐剤、ＰＨ調整剤、カーボンブラックを含み、バルク粘度が６０以下、好ましくはバルク粘度が３０以下である化粧料と、
一端側に前記容器本体の雄ネジ部に螺合し締め付け状態で容器本体内を機密とする雌ネジ部を内周に設けた操作体円筒部を備え、この操作体円筒部から前記ペン先挿入孔内に挿入可能なフェルトペン、毛筆又はプラスチックペンから選定され、化粧料を含浸させるペン先を有する漬けペン部を突出させるとともに、他端側を外径が前記操作体円筒部から末端に至るに従いテーパ状に漸減する丸棒形状の把持部としたアイライナ操作体と、
を有することを特徴とする漬けペン型アイライナ。
【請求項４】
水、皮膜剤、分散剤、防腐剤、ＰＨ調整剤、カーボンブラックを含み、バルク粘度が６０以下であることを特徴とする化粧料。
【発明の詳細な説明】
【技術分野】
【０００１】
本発明は、化粧料の粘度が低く、ペン先への化粧料の含浸状態が適切でラインの描写性に優れた漬けペン型アイライナ及び化粧料に関するものである。
【背景技術】
【０００２】
従来において、化粧具の一種であるアイライナが種々提案され、実用に供されている。このようなアイライナとしては漬けペン型アイライナと筆ペン型アイライナが主流である。
【０００３】
漬けペン型アイライナにおいては従来用いられる化粧料の粘度が高く、ペン先への付着量が多くなり、使用時にペン先をしごく等の手間が必要となるという問題があり、ペン先をしごかずに使用すると、細いラインを描くことができなくなる。またペン先が保持するバルク量が少ないため、均一なラインを引くことができず、更に、ラインを引ける長さが短く、場合により途中で途切れてしまう。
【０００４】
一方、筆ペン型アイライナにおいては、ボトル型を含め、中綿や中継芯を使用する必要があるため、処方上の制約が生じる。具体的には、中綿や中継芯での化粧材の詰まり発生を防止する必要があることから耐水性が低くなる。また、化粧材自体の粒子径の制限もあり、パール剤等々の大きい粒子径の原料の使用制限を伴う。更に、機能を上げて行くと、製品の安定性に大きな問題が発生し、場合によっては早い時期に筆記不能の事態となる。
【０００５】
また、筆ペン型アイライナの容器の構造上、機密性の維持を保つことが難しく時間経過とともに状態が悪化する。更に、気圧や温度の変化に弱く、内圧が上がりキャップ内に垂れが生じてキャップを開けたときに化粧料の衣服等への飛散が発生する等の問題を包含している。
【０００６】
特許文献１には、蓋から塗布筆を突設し、化粧料を収容した容器本体に対し前記塗布筆を内部に挿脱する状態で前記蓋を着脱可能に取り付けるように構成したアイライナ容器が提案されている。
【特許文献１】実開平０６−５２７１２号公報
【発明の開示】
【発明が解決しようとする課題】
【０００７】
解決しようとする問題点は、使用する化粧料の粘度が適切（低く）で、ペン先への化粧料の含浸状態が適切となりラインの描写性に優れた漬けペン型アイライナが存在しない点である。
【課題を解決するための手段】
【０００８】
本発明の漬けペン型アイライナは、有底筒状で開口側に設けたネジ筒部の外周に受ネジ部を有する容器本体と、この容器本体に収容した水、皮膜剤、分散剤、防腐剤、ＰＨ調整剤、カーボンブラックを含み、バルク粘度が６０以下である化粧料と、一端側に前記容器本体の受ネジ部に螺合し締め付け状態で容器本体内を機密とするネジ部を設けた操作体筒部を備え、この操作体筒部から容器本体内に挿入可能な化粧料を含浸させる漬けペン部を突出させるとともに、他端側を把持部としたアイライナ操作体と、を有することを最も主要な特徴とする。
【発明の効果】
【０００９】
本発明によれば、以下の効果を奏する。
請求項１乃至３記載の発明によれば、漬けペン部に含浸させて眼周辺の描写箇所にライン描写するための化粧料の粘度が適切、すなわち、バルク粘度が６０以下と低いことから、漬けペン部への化粧料の含浸状態が適切となり、これによりラインの描写性に優れた漬けペン型アイライナを提供することができる。この場合に、化粧料として、水、皮膜剤、分散剤、防腐剤、ＰＨ調整剤、カーボンブラックを含み、バルク粘度が６０以下、好ましくは３０以下のものを使用し、漬けペン部のペン先として、フェルトペン、毛筆又はプラスチックペンから選定されものを使用することで、漬けペン部のペン先への化粧料の含浸状態が極めて良好となり、これにより、長いラインの描写、細いラインの描写等、ラインの描写性に優れた漬けペン型アイライナを提供することができる。
【００１０】
請求項４記載の発明によれば、水、皮膜剤、分散剤、防腐剤、ＰＨ調整剤、カーボンブラックを含み、バルク粘度が６０以下とする構成としたことにより、特に漬けペン型アイライナ用として好適で、優れたラインの描写性を発揮し得る化粧料を提供することができる。
【発明を実施するための最良の形態】
【００１１】
本発明は、使用する化粧料の粘度が適切で、ペン先への化粧料の含浸状態が適切となり、ラインの描写性に優れた漬けペン型アイライナを提供するという目的を、有底筒状の本体筒部と、この本体筒部の開口側に設けたテーパ筒部と、テーパ筒部から突設したネジ筒部とを有し、ネジ筒部及びテーパ筒部の内部をペン先挿入孔としネジ筒部の外周に雄ネジ部を設けた容器本体と、この容器本体に収容した水、皮膜剤、分散剤、防腐剤、ＰＨ調整剤、カーボンブラックを含み、バルク粘度が６０以下、好ましくは３０以下である化粧料と、一端側に前記容器本体の雄ネジ部に螺合し締め付け状態で容器本体内を機密とする雌ネジ部を内周に設けた操作体円筒部を備え、この操作体円筒部から前記ペン先挿入孔内に挿入可能なフェルトペン、毛筆又はプラスチックペンから選定され、化粧料を含浸させるペン先を有する漬けペン部を突出させるとともに、他端側を外径が前記操作体円筒部から末端に至るに従いテーパ状に漸減する丸棒形状の把持部としたアイライナ操作体と、を有する構成により実現した。
【実施例】
【００１２】
以下に、本発明の実施例に係る漬けペン型アイライナについて図面を参照して詳細に説明する。図１乃至図３は、本実施例に係る漬けペン型アイライナ１を示すものである。
【００１３】
この漬けペン型アイライナ１は、容器本体２と、この容器本体２に対して着脱可能にネジ結合したアイライナ操作体１０と、容器本体２内に収容した化粧料２０とを有している。
【００１４】
容器本体２は、有底円筒状の本体筒部３と、この本体筒部３の開口側に設けたテーパ筒部４と、テーパ筒部４から突設したネジ筒部５とを有し、ネジ筒部５及びテーパ筒部４の内部をペン先挿入孔６とし、また、ネジ筒部５の外周に雄ネジ部７を設けることにより構成している。
【００１５】
前記アイライナ操作体１０は、一端側に、前記容器本体２の雄ネジ部７に螺合し、締め付け状態で容器本体２内を機密とする雌ネジ部１４を内周に設けた操作体円筒部１１を備え、この操作体円筒部１１から前記ペン先挿入孔６内に挿入可能な化粧料２０を含浸させるペン先１３を有する漬けペン部１２を突出させている。
【００１６】
また、アイライナ操作体１０の他端側は、その外径が操作体円筒部１１から末端に至るに従いテーパ状に漸減する丸棒形状の把持部１５としている。
【００１７】
従って、この把持部１５を漬けペン型アイライナ１の使用者が把持して、アイライナ操作体１０の容器本体２への雌ネジ部１４、雄ネジ部７の螺合によるねじ込み、雌ネジ部１４の雄ネジ部７への締め付けによる容器本体２内の機密性の確保、そして前記雌ネジ部１４、雄ネジ部７の螺合解除による容器本体２からのアイライナ操作体１０の離脱、更には容器本体２内への挿入に伴って前記ペン先１３に付着した化粧料２０による目（眼）の周辺部における目的箇所へのライン描写等を各々行うようにしている。
【００１８】
前記漬けペン部１２のペン先１３は、フェルトペン、毛筆又はプラスチックペンのいずれか又はこれらの組み合わせから選定している。
【００１９】
前記化粧料２０は、水、皮膜剤、分散剤、防腐剤、ＰＨ調整剤、カーボンブラックを含み、バルク粘度が６０（ｍＰａ・ｓ）以下、好ましくは３０（ｍＰａ・ｓ）以下としている。
水、皮膜剤、分散剤、防腐剤の成分、配合比率の一例を以下に示す。尚、全体で１００％とする。
水（配合比率  ２０〜８０％）
分散剤（配合比率  ０．１〜１５％）
成分：ポリオキシエチレンセチルエーテル・ポリオキシエチレンセチルエーテルリン酸ナトリウム・ポリオキシエチレンラウリルエーテル・ポリオキシエチレンオレイルエーテル・ポリオキシエチレンオレイルエーテルリン酸塩・ポリオキシエチレンベヘニルエーテル・ポリオキシエチレンオクチルドデシルエーテル・ポリオキシエチレンアルキルエーテル・ポリオキシエチレンアルキルフェニルエーテル・ポリオキシエチレンノニルフェニルエーテル等のエーテル系界面活性剤
皮膜剤（配合比率  １〜５０％）
成分：アクリル樹脂、スチレン／アクリル酸樹脂、酢酸ビニル樹脂、スチレン／ブタジエン樹脂、アクリル酸アルキル樹脂、スチレン／マレイン酸樹脂、ポリアクリル酸樹脂等のポリマーエマルジョン又はポリビニルピロリドン・ポリビニルアルコール
防腐剤（配合比率  ０．０１〜１．０％）
成分：フェノキシエタノール、パラオキシ安息香酸エステル、デヒドロ酢酸ナトリウム
【００２０】
本実施例に係る漬けペン型アイライナ１によれば、化粧料２０として、水、皮膜剤、分散剤、防腐剤、ＰＨ調整剤、カーボンブラックを含み、バルク粘度が６０（ｍＰａ・ｓ）以下、好ましくは３０（ｍＰａ・ｓ）以下のものを使用し、漬けペン部１２のペン先１３として、フェルトペン、毛筆又はプラスチックペンから選定されものを使用しているので、漬けペン部１２のペン先１３への化粧料２０の含浸状態が良好となり、これにより眼周辺の描写箇所に対する長いラインの描写、細いラインの描写等、優れたラインの描写性を発揮させることができる。
化粧料２０のバルク粘度が６０を越えると、ペン先１３を化粧料２０から取り出したとき、しごく手間が必要となってしまう。
【００２１】
また、本実施例に係る化粧料２０によれば、水、皮膜剤、分散剤、防腐剤、ＰＨ調整剤、カーボンブラックを含み、バルク粘度が６０以下、好ましくは３０以下とする構成としているので、特に漬けペン型アイライナ１用として好適で、眼の周辺部等への優れたラインの描写性を発揮し得る化粧料２０を提供することができる。
【産業上の利用可能性】
【００２２】
本発明は、漬けペン型アイライナとして適用する他、例えば白髪染め具等のようにペン先へ所定の溶液等を付着させて目的箇所へ塗付する化粧関連用具等にも応用可能である。
【図面の簡単な説明】
【００２３】
【図１】本発明の実施例に係る漬けペン型アイライナの外観を示す正面図である。
【図２】本発明の実施例に係る漬けペン型アイライナの断面図である。
【図３】本発明の実施例に係る漬けペン型アイライナの容器本体とアイライナ操作体とを分離した状態を示す正面図である。
【符号の説明】
【００２４】
１  ペン型アイライナ
２  容器本体
３  本体筒部
４  テーパ筒部
５  ネジ筒部
６  ペン先挿入孔
７  雄ネジ部
１０  アイライナ操作体
１１  操作体円筒部
１２  漬けペン部
１３  ペン先
１４  雌ネジ部
１５  把持部
２０  化粧料
【図１】
2006325977.tif 000003
【図２】
2006325977.tif 000004
【図３】
2006325977.tif 000005